(57)【要約】      （修正有）【課題】人体を必要以上に締め付けることなく、柔らかくフィットするニッパー、ガードル、ショーツ、ボディスーツ、スパッツなどにおいて、骨盤の歪みを修正或いは矯正して整体機能を持たせるようにした衣服を提供する。【解決手段】人体の背部に装着される背部布１と、該背部布の内側において左右脇部よりこれらを連結する腹部緊締部材４とよりなり、この伸縮材により腹部を緊締するようにした。【選択図】図１
0003173412.tif 000002
【実用新案登録請求の範囲】
【請求項１】
人体の背部に装着される背部布と、該背部布の両端となる左右脇部よりこれらを連結する腹部緊締部材とよりなり、該緊締部材は、伸縮材より構成されて腹部を緊締するように機能してなる腹部緊締部材を備えた衣服。
【請求項２】
前記腹部緊締部材は、さらに前面にてＸ字状に交差するように且つ夫々が表生地より互いに自由となるようにしたことを特徴とせる前記請求項１記載の腹部緊締部材を備えた衣服。
【請求項３】
前記背部布と、これに一体構成となる前面布と、該前面布と互いに重複して夫々が交差し且つフリーとなるようにした腹部緊締部材となる腹部緊締部材を備えた衣服。
【考案の詳細な説明】
【技術分野】
【０００１】  本考案は、人体を必要以上に締め付けることなく、柔らかくフィットするニッパー、ガードル、ショーツ、ボディスーツ、スパッツなどにおいて、骨盤の歪みを修正或いは矯正して整体機能を持たせるようにした腹部緊締部材を備えた衣服の改良に関する。
【背景技術】
【０００２】  従来から知られている一般的な骨盤補正方式の衣服は、人体の骨盤脇から、後方ウエスト部分にかけて押さえており、股関節から骨盤にかけての部分を緊締することが出来ていない方式がとられているものが多い。
【先行技術文献】
【特許文献】
【０００３】
【特許文献１】特願２００２−１６６１６６
【特許文献２】特願２００２−２７５９７１
【特許文献３】実願２００７−１４１６
【特許文献４】実願２００８−６３５０
【特許文献５】実願２００９−６４７３
【特許文献６】実願２０１０−５８２６
【考案の開示】
【考案が解決しようとする課題】
【０００４】  上記従来技術のフィット方式の衣服は、骨盤脇から後方ウエスト部分方向に押さえられ、股関節から骨盤にかけての部分を押さえることが出来ていないので、骨盤の安定力を充分に確保できない欠点があった。【０００５】  更に、骨盤を充分に押さえることにより、骨盤の位置より上方の腹部を押えてしまうようになり、骨盤を安定させる機能は期待できないこととなっていた。【０００６】  本考案は、上記のような課題を解決し、衣服の人体への装着時に体を必要以上に締め付けることなく、柔らかく体にフィットする衣服を提供しそれにより、骨盤の歪みを矯正する機能を持たせるようにしたものである。
【課題を解決するための手段】
【０００７】  本考案は、人体の背部に装着される背部布と、該背部布の両端となる左右脇部より前方に延びた緊締部材とよりなり、該緊締部材は、伸縮材より構成されて腹部を緊締するように機能してなる腹部緊締部材を備えたことを特徴とする。【０００８】  更に、前記腹部緊締部材は、さらに前面にてＸ字状に交差するように且つ夫々が表生地より互いに自由となるようにしたことを特徴としている。【０００９】  また、前記腹部緊締部材は、前記背部布と、これに一体構成となる前面布と、該前面布と互いに重複して夫々が交差し且つフリーとなるようにしたことを特徴としている。
【考案の効果】
【００１０】  本考案の腹部緊締部材を備えた衣服は、背部布と、該背部布の両端となる左右脇部よりこれらを連結する腹部緊締部材より構成したので、人体に装着することにより、人体の余分な部分に異常な圧力が加わることなく、特に骨盤に均等に圧力が加わり、骨盤のゆがみ或いは歪みを矯正することが出来る。【００１１】  また、前記腹部緊締部材は、前面にてＸ字状に交差し、表生地より互いに自由となるように配置しているので、両脇から前方腹部にかけて均一した緊締力を発揮し併せて骨盤を正常に保持することができる。【００１２】  更に、前記背部布と、これと一体に構成となる前面布とが互いに重なって交差し且つ夫々フリーとなるように配置しているので、体に合った緊締力を均一化することが出来る。
【考案を実施するための最良の形態】
【００１３】  本考案による腹部緊締部材を備えた衣服を、図１乃至図１１について説明する。
図１は、本考案によるニッパーの前フックアイを開いた斜面図、図２は、同じくニッパーの斜面図、図３は、ガードルの一部を取り除いた要部斜面図、図４は、同じく中心を断面した側面図、図５は、ショーツの正面からの斜面図、図６は、同じく背面側からの斜面図、図７は、ボディスーツの正面からの斜面図、図８は、同じく背面からの斜面図、図９は、スパッツの正面からの斜面図、図１０は、同じく背面からの斜面図、図１１は、本考案を実施したニッパーを人体に装着した側面図である。【００１４】  本考案は、図１、図２によると、１はパワーネット、サテンネットなどよりなる伸縮性を備えた帯状の背部布、２、２は該背部布の上辺及び下辺にその長さ方向に縫いつけられた上辺ゴム及び下辺ゴム、３，３は前記背部布１の両端に設けられ互いに係脱或いは掛合わせ自在に設けたフック部で一方は雌型、他方は雄型に構成されている。４は伸縮性のパワーネットからなる腹部緊締部材で互いに交差して、夫々がフリーになるようＸ字状に構成され夫々の両端は前記背部布１の内側左右脇部に縫い付けられている。【００１５】  図３、４によれば、ガードル本体５の内側両側にＸ状の腹部緊締部材４，４の両端が縫い合わされて、夫々が交差し、互いにフリーな状態に配置されている。６はマチ布である。【００１６】  図５，６によれば、ショーツ本体７は図１と同じようにＸ字状の腹部緊締部材４，４をその両端を内側両側に縫い合わされて、夫々が交差し、互いにフリーな状態に配置されている。【００１７】  図７，８によれば、ボディスーツ本体８は図１と同じようにＸ字状の腹部緊締部材４，４をその両端を内側両側に縫い合わされて、夫々が交差し、互いにフリーな状態に配置されている。９はカップ部、１０は肩紐、１１はマチ布である。【００１８】  図９，１０によれば、スパッツ本体１２は図１と同じようにＸ字状の腹部緊締部材４，４をその両端を内側両側に縫い合わされて、夫々が交差し、互いにフリーな状態に配置されている。【００１９】  図１１は人体に装着したときに生じる腹部緊締力の働きを図示している。１３は人体の大腿骨でＸ字状の腹部緊締部材４，４は３つの矢印方向Ａ，Ｂ，Ｃに分力して引っ張り力が働き、骨盤を安定的に維持している。
【図面の簡単な説明】
【００２０】
【図１】本考案を実施例としてのニッパーに利用し、前フックアイを開いた斜面図
【図２】同じく図１のニッパーの斜面図
【図３】同じくガードルの一部を切除した要部斜面図
【図４】同じくガードルの中心を断面した側面図
【図５】実施例としてのショーツの正面からの斜面図
【図６】同じくショーツの背面からの斜面図
【図７】実施例としてのボディスーツの正面からの斜面図
【図８】同じくボディスーツの背面からの斜面図
【図９】実施例としてのスパッツの正面からの斜面図
【図１０】同じくスパッツの背面からの斜面図
【図１１】実施例として、人体にニッパーを装着したときに生じる腹部緊締力の働きを示す側面図
【符号の説明】
【００２１】１      ニッパーの背部布
２、２  上辺ゴム、下辺ゴム
３      フック部
４      腹部緊締部材
５      ガードル本体
６      マチ布
７      ショーツ本体
８      ボディスーツ本体
９      カップ部
１０    肩紐
１１    マチ布
１２    スパッツ本体
【図１】
0003173412.tif 000003
【図２】
0003173412.tif 000004
【図３】
0003173412.tif 000005
【図４】
0003173412.tif 000006
【図５】
0003173412.tif 000007
【図６】
0003173412.tif 000008
【図７】
0003173412.tif 000009
【図８】
0003173412.tif 000010
【図９】
0003173412.tif 000011
【図１０】
0003173412.tif 000012
【図１１】
0003173412.tif 000013
【手続補正書】
【提出日】平成23年8月10日(2011.8.10)
【手続補正１】
【補正対象書類名】実用新案登録請求の範囲
【補正対象項目名】全文
【補正方法】変更
【補正の内容】
【実用新案登録請求の範囲】
【請求項１】
人体の背部に装着される背部布と、該背部布の両端となる左右脇部よりこれらを連結する腹部緊締部材とよりなり、該腹部緊締部材は、伸縮材により構成されて装着時には人体の腹部を緊締するようにしたことを特徴とした衣服。
【請求項２】
前記腹部緊締部材は、更に前面にて互いに縫い合わせることのないようＸ字状に交差して互いにフリーになるようにしたことを特徴とした前記請求項１記載の衣服。
【請求項３】
前記腹部緊締部材は、前記背部布と、これに一体構成となる前面布とが互いに重なりあって夫々がフリーとなるように交差したことを特徴とする前記請求項１記載の衣服。
【手続補正２】
【補正対象書類名】明細書
【補正対象項目名】０００７
【補正方法】変更
【補正の内容】
【０００７】  本考案は、人体の背部に装着される背部布と、該背部布の両端となる左右脇部よりこれらを連結する腹部緊締部材とよりなり、該腹部緊締部材は、伸縮材により構成されて装着時には人体の腹部を緊締するようにしたことを特徴とする。
【手続補正３】
【補正対象書類名】明細書
【補正対象項目名】０００８
【補正方法】変更
【補正の内容】
【０００８】  更に、前記腹部緊締部材は、前面にて互いに縫い合わせることのないようＸ字状に交差して互いにフリーになるようにしたことを特徴としている。
【手続補正４】
【補正対象書類名】明細書
【補正対象項目名】０００９
【補正方法】変更
【補正の内容】
【０００９】  前記腹部緊締部材は、前記背部布と、これに一体構成となる前面布とが互いに重なり合って夫々がフリーとなるように交差したことを特徴としている。
【手続補正５】
【補正対象書類名】明細書
【補正対象項目名】００１１
【補正方法】変更
【補正の内容】
【００１１】  また、前記腹部緊締部材は、前面にてＸ字状に交差し、表生地より互いにフリーとなるように配置しているので、両脇から前方腹部にかけて均一な緊締力を発揮し併せて骨盤を正常に保持することができる。
【手続補正６】
【補正対象書類名】明細書
【補正対象項目名】００１３
【補正方法】変更
【補正の内容】
【００１３】  本考案による腹部緊締部材を備えた衣服を、図１乃至図５について説明をする。
図１は、本考案による衣服を実施したニッパーの前部フックアイを開いた斜面図、図２は、同じくニッパーの斜面図、図３は、本考案による衣服を実施したガードルの一部を取り除いた要部斜面図、図４は、同じく中心を断面した側面図、図５は、本考案を実施したニッパーを装着した側面図である。
【手続補正７】
【補正対象書類名】明細書
【補正対象項目名】００１６
【補正方法】変更
【補正の内容】
【００１６】図５は、本考案による衣服を人体に装着したときに生じる腹部緊締力の働きを図示している。１３は人体の大腿骨を示しており、Ｘ字状の腹部緊締部材４，４は図示によるＡ，Ｂ，Ｃの矢印方向に分力して引っ張り力が働き、Ａ方向によって大腿骨を安定させ、Ｂ，Ｃ方向により骨盤を矯正して安定状態を維持するようにしている。
【手続補正８】
【補正対象書類名】明細書
【補正対象項目名】００２０
【補正方法】変更
【補正の内容】
【００２０】
【図１】本考案を実施したニッパーの前部フックアイを開いた斜面図
【図２】図１のニッパーの斜面図
【図３】同じくガードルの一部を切除した要部斜面図
【図４】図３のガードルの中心を断面した側面図
【図５】本考案によるニッパーを人体に装着したときに生じる腹部に加わる緊締力の方向を示す図
【手続補正９】
【補正対象書類名】明細書
【補正対象項目名】００２１
【補正方法】変更
【補正の内容】
【００２１】１      ニッパーの背部布
２，２  上辺ゴム、下辺ゴム
３      フック部
４      腹部緊締部材
５      マチ布
１３    人体の大腿骨
【手続補正１０】
【補正対象書類名】明細書
【補正対象項目名】００１９
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】図面
【補正対象項目名】図５
【補正方法】変更
【補正の内容】
【図５】
0003173412.tif 000014
【手続補正１４】
【補正対象書類名】図面
【補正対象項目名】図６
【補正方法】削除
【補正の内容】
【手続補正１５】
【補正対象書類名】図面
【補正対象項目名】図７
【補正方法】削除
【補正の内容】
【手続補正１６】
【補正対象書類名】図面
【補正対象項目名】図８
【補正方法】削除
【補正の内容】
【手続補正１７】
【補正対象書類名】図面
【補正対象項目名】図９
【補正方法】削除
【補正の内容】
【手続補正１８】
【補正対象書類名】図面
【補正対象項目名】図１０
【補正方法】削除
【補正の内容】
【手続補正１９】
【補正対象書類名】図面
【補正対象項目名】図１１
【補正方法】削除
【補正の内容】
【手続補正書】
【提出日】平成23年11月8日(2011.11.8)
【手続補正１】
【補正対象書類名】実用新案登録請求の範囲
【補正対象項目名】全文
【補正方法】変更
【補正の内容】
【実用新案登録請求の範囲】
【請求項１】
人体の背部に装着される背部布と、該背部布の両端を連結する腹部緊締部材とよりなり、該腹部緊締部材は、伸縮材により構成されて装着時には人体の腹部を緊締するようにしたことを特徴とした衣服。
【請求項２】
前記腹部緊締部材は、２枚の布地より構成され前面にて互いに縫い合わせることなくＸ字状に交差していることを特徴とした前記請求項１記載の衣服。
【請求項３】
前記腹部緊締部材の両端は、前記背部布の両端に縫い付けられていることを特徴とした前記請求項１及び２記載の衣服。
【手続補正２】
【補正対象書類名】明細書
【補正対象項目名】０００７
【補正方法】変更
【補正の内容】
【０００７】  本考案は、人体の背部に装着される背部布と、該背部布の両端を連結する腹部緊締部材とよりなり、該腹部緊締部材は、伸縮材により構成されて装着時には人体の腹部を緊締するようにしたことを特徴とする。
【手続補正３】
【補正対象書類名】明細書
【補正対象項目名】０００８
【補正方法】変更
【補正の内容】
【０００８】  本考案は、前記腹部緊締部材は、２枚の布地より構成され前面にて互いに縫い合わせることなくＸ字状に交差していることを特徴とする。
【手続補正４】
【補正対象書類名】明細書
【補正対象項目名】０００９
【補正方法】変更
【補正の内容】
【０００９】  本考案は、前記腹部緊締部材の両端は、前記背部布の両端に縫い付けられていることを特徴とする。
【手続補正５】
【補正対象書類名】明細書
【補正対象項目名】００１１
【補正方法】変更
【補正の内容】
【００１１】  また、前記腹部緊締部材は、２枚の布地より構成され前面にて互いに縫い合わせることなくＸ字状に交差して配置しているので、両脇から前方腹部にかけて均一な緊締力を発揮し併せて骨盤を正常に保持することができる。
【手続補正６】
【補正対象書類名】明細書
【補正対象項目名】００１２
【補正方法】変更
【補正の内容】
【００１２】  更に、前記腹部緊締部材の両端は、前記背部布の両端に縫い付けられているので、人体に装着したときには、人体に合った緊締力をバランスよく調整することができる。
【手続補正７】
【補正対象書類名】明細書
【補正対象項目名】００１３
【補正方法】変更
【補正の内容】
【００１３】  本考案による衣服を、図１乃至図５について説明する。
図１は、本考案による衣服を実施したニッパーの前部フックアイを開いた斜面図、図２は、図１の状態から前部フックアイを閉じたニッパーの斜面図、図３は、本考案による衣服を実施したガードルの一部を切除して要部を現した斜面図、図４は、同じく中心を断面したガードルの側面図、図５は、本考案を実施したショーツの斜面図である。
【手続補正８】
【補正対象書類名】明細書
【補正対象項目名】００１４
【補正方法】変更
【補正の内容】
【００１４】  本考案は、図１、図２によると、１は人体の腰部の背部に装着されて使用する通常の布地で好ましくはパワーネットなどよりなる伸縮性を備えた帯状の背部布、２，２は該背部布の上辺及び下辺にその長さ方向に縫い付けられた上辺ゴム及び下辺ゴム、３，３はフックアイを先端に設けたフック部で、本考案の実施品を人体に装着する際前記フックの掛け合わせによって行う。４，４は伸縮性を備えたパワーネットなどからなる腹部緊締部材であって、夫々がＸ字状に交差して互いに縫い付けることのないように配置され、夫々の両端は前記背部布１の端部に縫い付けられている。
【手続補正９】
【補正対象書類名】明細書
【補正対象項目名】００１５
【補正方法】変更
【補正の内容】
【００１５】  図３及び４においては、ガードル本体５の背部が背部布を兼ねており、内側両側部に２枚の腹部緊締部材４，４がＸ字状に配置されるように縫い付けられている。夫々の腹部緊締部材４，４は互いに縫い付けることのないように配置する。６はマチ布である。
【手続補正１０】
【補正対象書類名】明細書
【補正対象項目名】００１６
【補正方法】変更
【補正の内容】
【００１６】  図５によれば、ショーツ本体７は図１と同じようにＸ字状の腹部緊締部材４，４の両端が内面両側に縫い合わされて、夫々が交差して互いに縫い合わされることがない。
【手続補正１１】
【補正対象書類名】明細書
【補正対象項目名】００１７
【補正方法】変更
【補正の内容】
【００１７】
【図１】  本考案を実施したニッパーのフック部の契合を解除した斜面図
【図２】  図１のニッパーの斜面図
【図３】  本考案を実施したガードルの斜面図
【図４】  図３のガードルの中心を断面した側面図
【図５】  本考案を実施したショーツの斜面図
【手続補正１２】
【補正対象書類名】明細書
【補正対象項目名】００１８
【補正方法】変更
【補正の内容】
【００１８】    １      背部布
２，２  上辺ゴム、下辺ゴム
３，３  フック部
４，４  腹部緊締部材
５      ガードル本体
７      ショーツ本体
【手続補正１３】
【補正対象書類名】図面
【補正対象項目名】図５
【補正方法】変更
【補正の内容】
【図５】
0003173412.tif 000015